(57)【特許請求の範囲】
【請求項１】
エレベータカーの案内レールとカウンタウエイトの案内レールの上端間に装着ビームが懸架され、該装着ビームに固定子と磁気的に結合させた回転子の外側面をトラクションシーブに構成した薄型巻上機械装置が吊り下げ支持され、吊り下げ支持された薄型巻上機械装置に係合させられた巻上げロープの一端がカウンタウエイトを支持する転向プーリに係合させられてその先端がエレベータカーの案内レールとカウンタウエイトの案内レールの最上部位置に連結されるとともに、前記巻上げロープの他端がエレベータカー底部の両側に設けた転向プーリに係合させられてエレベータカーの底部を横断してエレベータカーの案内レールとカウンタウエイトの案内レールの最上部位置に連結されてなることを特徴とするエレベータ装置。
【請求項２】
エレベータカーの案内レールとカウンタウエイトの案内レールの
上端と装着ビーム間に防振材を介在させたことを特徴とする請求項１に記載のエレベータ装置。
【請求項３】
装着ビームと薄型巻上機械装置の吊り下げブラケット間に防振材を介在させたことを特徴とする請求項１又は２に記載のエレベータ装置。
【請求項４】
エレベータカーの案内レールとカウンタウエイトの案内レール上端と装着ビーム間に防振材を介在させたことを特徴とする請求項３に記載のエレベータ装置。
【発明の詳細な説明】
【０００１】
【発明の属する技術分野】
本発明は、巻上機械室を不要にしたエレベ−タ装置、特にエレベ−タシャフト内の空間を有効利用した経済的なエレベ−タ装置に関する。
【０００２】
【従来の技術】
屋上等に突出させて設けられる巻上機械室等を不要にしたエレベ−タ装置として、従来、昇降体の外方に頂部が最上階の昇降体の天井高さより低く配設されたガイドレ−ルを設けると共に、このガイドレ−ルの頂部に取付台を固定し、この取付台上に昇降体の駆動装置を配置した小型エレベ−タ装置（実開昭６３−１１９５７９号）、エレベ−タロ−プを駆動するエレベ−タモ−タとトラクションシ−ブを一体にした機械装置をエレベ−タシャフトの頂上部であって、エレベ−タカ−がその通路上に必要とするシャフト空間および（または）エレベ−タカ−が必要とするシャフト空間の頂上方向の延長部と該エレベ−タシャフトの壁との間の空間に配置したトラクションエレベ−タ（特許第２５９３２８８号公報）等が提供されている。
【０００３】
【発明が解決しようとする課題】
本発明は、エレベ−タシャフト内の空間を有効利用して建築空間をさらに節約して省スペ−ス化を図り、防振構造を容易に実現でき、構成資材をも削減できる経済的なエレベ−タ装置を提供することを目的とする。
【０００４】
【課題を解決するための手段】
前記目的を達成するため、本願請求項１は、エレベータカーの案内レールとカウンタウエイトの案内レールの上端間に装着ビームが懸架され、該装着ビームに固定子と磁気的に結合させた回転子の外側面をトラクションシーブに構成した薄型巻上機械装置が吊り下げ支持され、吊り下げ支持された薄型巻上機械装置に係合させられた巻上ロープの一端がカウンタウエイトを支持する転向プーリに係合させられてその先端がエレベータカーの案内レールとカウンタウエイトの案内レールの最上部位置に連結されるとともに、前記巻上げロープの他端がエレベータカー底部の両側に設けた転向プーリに係合させられてエレベータカーの底部を横断してエレベータカーの案内レールとカウンタウエイトの案内レールの最上部位置に連結されてなる構成としたものである。
【０００５】
この請求項１によれば、薄型巻上機械装置が吊り下げ支持されることになるため、前記薄型巻上機械装置の重心が低くなり、安定性が確保され、しかも構成資材を削減できる。
【０００６】
すなわち、例えば、巻上機械装置をエレベ−タシャフト内等の適位置に設けた取付台上等に配置する場合には、前記巻上機械装置の重心は前記取付台の上方になるため、倒れ防止、その他安定支持のために各種資材等が必要となるものである。
【０００７】
さらに、前記薄型巻上機械装置を固定子と磁気的に結合させた回転子の外周面をトラクションシーブに構成したモータとするものである。すなわち、モータの回転子即トラクションシーブの構成とするものである。したがって、巻上機械装置を薄型小型化でき省スペース化が可能であるとともに、本発明の特徴である吊り下げ支持が極めて容易となる。
【０００８】
さらに、エレベータカーの案内レールとカウンタウエイトの案内レールの上端間に装着ビームを懸架し、該装着ビームに前記薄型巻上機械装置を吊り下げ支持するものである。したがって、例えば、一本の案内レール、あるいはエレベータシャフトの壁面、あるいはそれらの間に吊り下げブラケット等を設けて吊り下げ支持する場合に比べて薄型巻上機械装置の吊り下げ状態が安定させられ、さらにレール自体も安定させられる。
【０００９】
さらに、吊り下げ支持された薄型巻上機械装置に係合された巻上ロープの一端がカウンタウエイトを支持する転向プーリに係合させられてその先端がエレベータカーの案内レールとカウンタウエイトの案内レールの最上部位置に連結されるとともに、前記巻上げロープの他端がエレベータカーの底部の両側に設けた転向プーリに係合させられてエレベータカーの底部を横断してエレベータカーの案内レールとカウンタウエイトの案内レールの最上部位置に連結させられる。したがって、従来の機械装置を備えたエレベータのエレベータカー及び安全装置フレームをそのまま適用して、いわゆるマシンルームレスエレベータを提供することができる。
【００１０】
請求項２は、エレベータカーの案内レールとカウンタウエイトの案内レールの上端と装着ビーム間に防振材を介在させたものである。この請求項２によれば、容易に防振、防音、防震のための構造とすることができる。
【００１１】
請求項３は、装着ビームと薄型巻上機械装置の吊り下げブラケット間に防振材を介在させたものである。この請求項３によれば、前記請求項２と同様に、容易に防振、防音、防震のための構造とすることができる。
【００１２】
請求項４は、エレベータカーの案内レールとカウンタウエイトの案内レール上端と装着ビーム間に防振材を介在させた前記請求項３に記載のエレベータ装置である。すなわち、前記請求項２と３に記述の二か所に防振材を介在させたものであり、さらに防振、防音、防震効果を高めることができる。
【００１５】
【発明の実施の形態】
以下、本発明の実施の一形態を説明する。図１は本発明のエレベ−タ装置の要部斜視図、図２は図１の側面図、図３乃至図５は本発明の他の実施の一形態を示し、図３は要部斜視図、図４は図３の側面図、図５は図４の一部拡大図、図６は薄型巻上機械装置の実施の一形態を示す縦断面図である。
【００１６】
図１及び図２において、１はエレベ−タカ−、２はカウンタウエイト、３はそれぞれエレベ−タカ−１の案内レ−ル、４はそれぞれカウンタウエイトの案内レ−ル、５は巻上げロ−プである。
【００１７】
本発明では、前記エレベ−タカ−１とカウンタウエイト２の案内レ−ル３と４の間の最上部に薄型巻上機械装置６が吊り下げ支持される。図面実施の形態では、前記エレベ−タカ−１の一方の案内レ−ル３と前記カウンタウエイト２の一方の案内レ−ル４の上端間に装着ビ−ム７が懸架され、該装着ビ−ム７に前記薄型巻上機械装置６が吊り下げブラケット８により支持固定されている。
【００１８】
さらに、好ましくは、前記はエレベ−タカ−１とカウンタウエイト２の案内レ−ル４、５の上端とその間に懸架された前記装着ビ−ム７間に防振材９が介在させられる。図中、１０は扉、１１は制御盤、１２はインバ−タである。
【００１９】
なお、前記薄型巻上機械装置６は、固定子と磁気的に結合させた回転子の外周面をトラクションシーブに構成した薄型モータが使用される。
【００２０】
すなわち、前記薄型巻上機械装置６は、例えば、図６に示すように吊り下げブラケット８を兼ねる固定子１３と磁気的に結合された回転子１４からなり、該回転子１４が外周面が前記巻上げロ−プ溝１５を有するトラクションシ−ブ１６に構成されている。図中、１７は前記固定子１３側コア−及び巻線、１８は回転子側励磁装置、２２はディスクブレ−キである。
【００２１】
前記構成において、前記薄型巻上機械装置６に係合された巻上げロ−プ５の一端がカウンタウエイト２を支持する転向プ−リ１９に係合させられてその先端５ａがエレベ−タカ−１とカウンタウエイト２の案内レ−ル３、４の最上部位置に連結される。
【００２２】
さらに前記巻上げロ−プ５の他端５ｂがエレベ−タカ−１の底部の両側に設けた転向プ−リ２０、２１に係合させられて前記エレベ−タカ−１の底部を横断してエレベ−タカ−１とカウンタウエイト２の案内レ−ル３、４の最上部位置に連結される。
【００２３】
図３乃至４は、他の実施例を示し、前記実施の形態と同部材には同符号を付してある。前記図１及び図２の実施の形態と異なる点は、図５に示すように、防振材９を前記装着ビーム７と前記薄型巻上機械装置６間に介在させたものである。
【００２４】
すなわち、予め、前記薄型巻上機械装置６の吊り下げブラケット８を略Ｔ字形に構成し、装着ビーム７側に該略Ｔ字形の吊り下げブラケット８の頭部８ａが係止する係止部７ａを設け、該係止部７ａと前記略Ｔ字形の吊り下げブラケット８の頭部８ａ間に前記防振材９を介在させたものである。もっとも、該防振材９とともに前記エレベータカー１とカウンタウエイト２の案内レール３、４上端と装着ビーム７間にも防振材９を設けてもよい。
【００２５】
【発明の効果】
本発明によれば、エレベ−タシャフト内の空間を有効利用して建築空間を節約して省スペ−ス化を図り、防振構造を容易に実現でき、構成資材をも削減でき、経済的である効果を得ることができる。
【図面の簡単な説明】
【図１】本発明にかかるエレベータ装置の実施の一形態を示す要部斜視図である。
【図２】図１の側面図である。
【図３】本発明の他の実施の一形態を示すエレベータ装置の要部斜視図である。
【図４】図３の側面図である。
【図５】図４の一部拡大図である。
【図６】薄型巻上機械装置の一実施の形態を示す縦断面図である。
【符号の説明】
１    エレベータカー
２    カウンタウエイト
３    （エレベータカーの）案内レール
４    （カウンタウエイトの）案内レール
５    巻上ロープ
６    薄型巻上機械装置
７    装着ビーム
８    吊り下げブラケット
９    防振材
１９  転向プーリ
２０  転向プーリ
２１  転向プーリ
【図１】
0004157631.tif 000002
【図２】
0004157631.tif 000003
【図３】
0004157631.tif 000004
【図４】
0004157631.tif 000005
【図５】
0004157631.tif 000006
【図６】
0004157631.tif 000007